(57)【要約】【課題】防水シールする個所を減らして内部の密閉度を保つことができる照明器具を提供する。    【解決手段】取付用の外本体１は外周に周壁４を有する。内本体２は点灯部品１８を取付けており、外本体１の内側に取付けられている。点灯部品１８はねじ１９で取付けられている。例えば内本体２には、ねじ１９を通すための部品取付孔２０が形成されるとともに、外本体１の連結孔９に通す連結ねじ３２を通す被連結孔２２および取付ボルト６を通すための孔２１、電線８を通すための孔３１が形成されている。カバー３は外本体１の周壁４と内本体２の外周との間に開口縁部２６が挿入され、外本体１に取付けられている。  【選択図】        図１
2006351475.tif 000002
【特許請求の範囲】
【請求項１】
外周に周壁を有する取付用の外本体と、点灯部品を取付けて前記外本体の内側に取付けられた内本体と、前記外本体の前記周壁と前記内本体の外周との間に開口縁部が挿入されて前記外本体および前記内本体の少なくとも一方に取付けられたカバーとを備えた照明器具。  
【請求項２】
前記開口縁部は外周面にくびれ部を有し、前記周壁を貫通して先端が前記くびれ部に係止するカバー取付用の固定具を有する請求項１記載の照明器具。
【発明の詳細な説明】
【技術分野】
【０００１】
この発明は、カバーの付いた照明器具に関するものである。
【背景技術】
【０００２】
従来例として、周壁を有する器具本体の背面を壁面に取付け、器具本体に点灯部品を取付けるとともに、周壁の内側にカバーの開口縁部を挿入させて支持部で係止した照明器具があった（例えば特許文献１参照）。
【特許文献１】特開平９−１６１５２６号公報
【発明の開示】
【発明が解決しようとする課題】
【０００３】
しかし、カバー内部への水の浸入を防止した防水密閉型照明器具に適用する場合、カバーと器具本体とで囲まれた内部の密閉度を保つためにパッキン等を用いてあらゆる隙間を埋める必要があった。このため器具本体に形成する本体取付けのための孔、電線挿通のための孔、点灯部品の取付けのための孔等をすべて防水シールする必要があり、防水シールする個所が増加した。
【０００４】
また、カバー内への水の浸入をある程度許容する器具においては、カバー内部の水の流れを制限するため、別体の部品を設ける必要があった。
【０００５】
したがって、この発明の目的は、防水シールする個所を減らして内部の密閉度を保つことができる照明器具を提供することである。
【課題を解決するための手段】
【０００６】
この発明の照明器具は、取付用の外本体が外周に周壁を有する。内本体は点灯部品を取付け外本体の内側に取付けられている。カバーは前記外本体の前記周壁と前記内本体の外周との間に開口縁部が挿入されて前記外本体および前記内本体の少なくとも一方に取付けられている。  
【０００７】
上記構成において、前記開口縁部は外周面にくびれ部を有し、前記周壁を貫通して先端が前記くびれ部に係止するカバー取付用の固定具を有する。
【発明の効果】
【０００８】
この発明の照明器具によれば、外本体は天井等の取付個所への取付けのための孔、および内本体との連結のための孔等をシールする必要があるが、点灯部品を取付ける内本体は外本体によって保護されるためシールが必要でないので、シール個所を減らすことができる。
【０００９】
カバーのくびれ部に固定具を引っ掛けてカバーを外本体に取付けると、カバーが樹脂製の場合に温度および湿度の変化にともなってカバーが変形しても、固定具による取付状態は安定しており、施工性も影響を受けない。カバーの表面に沿って開口縁部に方向に流れ込む水は一旦くびれ部に溜まりそこから逆向きに流下するので、別体の部品を設けることなく水の流れを制限できる。
【発明を実施するための最良の形態】
【００１０】
この発明の第１の実施の形態を図１および図２により説明する。この照明器具は、外本体１と、内本体２と、カバー３とを有する。
【００１１】
外本体１は直管用の器具のため細長板形状に形成し、その外周に周壁４を垂下している。取付個所は例えば天井５であり、天井５より突出した取付ボルト６に挿通する挿通孔７を有する。また天井５を貫通した電線８を挿通する電線挿通孔８ａ、および内本体２を連結する連結孔９を有する。そして、これらをシールするため例えばゴム板などを用いたシール部材１０〜１２を外本体１の外側に配置している。このうちシール部材１０は挿通孔７の一方および電線挿通孔８ａをシールし、シール部材１１は挿通孔７の残りおよび連結孔９の一方をシールし、シール部材１２は連結孔９の残りをシールする。外本体１に加工される孔数は内本体２に比べると少数であるため防水処理を施す個所が少なくてすむ。なお、外本体１の背面と天井５との間にシール部材１０〜１２を介在させるための隙間を形成する凸部３７を形成している。
【００１２】
内本体２は、外本体１と相似で周縁に周壁１３を有するが、外本体１より小さく形成され、外本体１の内側に取付けられている。内本体２には、安定器１４、ランプソケット１５、操作部付きセンサユニット１６、制御部１７等の点灯部品１８を例えばねじ１９等で取付けている。このため、内本体２にねじ１９を通すための部品取付孔２０が形成されるとともに、外本体１の連結孔９に通す連結ねじ３２を通す被連結孔２２および取付ボルト６を通すための孔２１、電線８を通すための孔３１がそれぞれ形成されているが、外本体１により密閉されるためいずれもシールは必要でない。内本体２の外本体１に向いた背面にも外本体１と同様に凸部２３が形成され、これにより外本体１の内面との間に隙間２４を形成し、ねじ１９のねじ頭を配置させることができる。２７は取付ボルト６に挿通される座金、２８は取付ボルト６にねじ込むためのナット、２９は直管ランプである。３０は連結ねじ３２の先端に螺合して外本体１と内本体２とを連結するナットである。なお実施の形態においては、外本体１は黒色、内本体２は白色に塗装され、デザイン的高級感が必要な外本体１と、器具の効率アップに必要な内本体２の色を容易に塗り分けることができる。
【００１３】
カバー３は樹脂製であり、外本体１の周壁４と内本体２の周壁１３との間に形成された樋状の隙間２５にカバー３の開口縁部２６が挿入される。カバー３内に浸入する水はこの樋状の隙間２５にカバー３の開口縁部２６が挿入されることにより点灯部品１８を搭載する内本体１の内側への浸入を阻止される。カバー３は外本体１に固定具（図示せず）により取付けられる。固定具は例えばつまみねじであり、ねじ孔を周壁４に形成して固定具の先端を周壁４の内側に螺通して、内本体２の周壁１３に対向している。そしてカバー３の開口縁部２６に貫通孔（図示せず）を形成し、固定具の先端を通して固定する。４０はセンサ信号通過部である。
【００１４】
この発明の第２の実施の形態を図３により説明する。第１の実施の形態において、カバー３の開口縁部２６は外周面の全周囲にわたってくびれ部３４を有し、固定具３５はつまみねじであり先端が外本体１の周壁４のねじ孔を螺通して外本体１から内方へ突出しくびれ部３４に係止し、これによってカバー３を外本体１に取付けている。
【００１５】
この実施の形態によれば、くびれ部３４はカバー３の全長にわたって形成されているため、くびれ部３４の任意の位置にねじ先端を配置することができる。またカバー３は樹脂製であり、使用環境の温度および湿度よって大きく変形するが、本実施の形態ではカバー３の変形に影響を受けずにカバー３の固定が可能である。さらに第２の実施の形態のように固定具を通す貫通孔をカバー３に形成しないため内本体２内に水が入りにくい。さらにくびれ部３４が外本体１の内部への水の浸入をより確実に防止する。
【００１６】
その結果、この発明によれば、より容易に防水機能を確保するとともに、樹脂製カバーの温度および湿度による変形に施工性が影響を受けない照明器具を提供することができる。
【００１７】
なお、この発明において、カバー３を内本体２に取付けることも可能である。例えば特許文献１のようにカバー３の開口寸法がカバー内部より小さくなるように段を介して開口縁部２６を形成した場合に、カバー３の段の内側に係止するカバー受け部を内本体２に設け、カバー受け部にカバー３を係止してカバー３を取付けることができる。カバー受け部はばねにより後退可能に構成すると、カバーを挿入しやすい。さらにこのカバー受け部と上記実施の形態の固定具の双方でカバーを取付けることも可能である。
【図面の簡単な説明】
【００１８】
【図１】この発明の第１の実施の形態の分解斜視図である。
【図２】断面図である。
【図３】第２の実施の形態の断面図である。
【符号の説明】
【００１９】
１    外本体
２    内本体
３    カバー
４    周壁
５    天井
７    挿通孔
８    電線  
８ａ    電線挿通孔
９    連結孔
１０    シール部材
１１    シール部材
１２    シール部材
２５    隙間
２６    開口縁部
３４    くびれ部
３５    固定具
【図１】
2006351475.tif 000003
【図２】
2006351475.tif 000004
【図３】
2006351475.tif 000005